(57)【要約】【課題】地球温暖化の影響で最近の夏は猛暑である。暑さ対策は切実な問題である。高気密、高断熱構造の家屋では、夏はエアコン、冬は暖房が避け難い状況にあり、電力使用量は増加の一途をたどっている。地球温暖化防止対策として、猛暑と冬の寒さも緩和できる極めて省エネ性に優れた建造物の構造を提供せんとするものである。【解決方法】複数個の中空パネルを平面状に連結して外壁の外側あるいは／および屋根に取付け、該パネルの中に貯水してなることを特徴とする建造物の構造。【選択図】　図２
2004076392.tif 000002
【特許請求の範囲】
【請求項１】
複数個の中空パネルを平面状に連結して外壁の外側あるいは／および屋根に取付け、該パネルの中に貯水してなることを特徴とする建造物の構造。
【請求項２】
複数個の中空パネルを平面状に連結して壁あるいは／および屋根を形成し、各パネルの中に貯水してなることを特徴とする建造物の構造。
【請求項３】
上記パネルは凹面成形したプラスチックあるいは金属の板を二枚合わせて中空にした構造で、かつ凹面成形した面に一体的に凹溝を成形してリブを形成し、該二枚の板のリブ面が向かい合わせに対向してなることを特徴とする請求項１あるいは２に記載の建造物の構造。
【請求項４】
上記パネルを一つの順路で連通させて貯水した水の給水、排水を可能にしてなることを特徴とする請求項１〜３のいずれかに記載の建造物の構造。
【発明の詳細な説明】
【０００１】
【発明の属する技術分野】
本発明は、建造物の構造に係わり、更に詳しくは夏涼しく、冬暖かい省エネ性に優れた建造物の構造に関するものである。
【０００２】
【従来の技術】
地球温暖化の影響で最近の夏は猛暑である。暑さ対策は切実な問題である。旧来の日本家屋は木造、通風性に優れた構造で、夏の暑さ対策を旨とした構造であるが、昨今の高気密、高断熱の住宅では夏はエアコン、冬は暖房が避け難い状況である。電力使用量は増加の一途をたどるだけである。地球温暖化防止の観点から、今後は電気エネルギ−に頼ることなく、家屋の構造だけで夏の猛暑を和らげる方策を考えていく必要がある。
【０００３】
【発明が解決しようとする課題】
本発明はかかる問題点に鑑みてなされたもので、高気密、高断熱構造の家屋でも、猛暑と冬の寒さも緩和できる極めて省エネ性に優れた家屋の構造を提供せんとするものである。
【０００４】
【課題を解決するための手段】
上記課題は下記の（１）〜（４）の手段によって解決できる。
すなわち、
（１）複数個の中空パネルを平面状に連結して外壁の外側あるいは／および屋根に取付け、該パネルの中に貯水してなることを特徴とする建造物の構造。
（２）複数個の中空パネルを平面状に連結して壁あるいは／および屋根を形成し、各パネルの中に貯水してなることを特徴とする建造物の構造。
（３）上記パネルは凹面成形したプラスチックあるいは金属の板を二枚合わせて中空にした構造で、かつ凹面成形した面に一体的に凹溝を成形してリブを形成し、該二枚の板のリブ面が向かい合わせに対向してなることを特徴とする上記（１）あるいは（２）に記載の建造物の構造。
（４）上記パネルを一つの順路で連通させて貯水した水の給水、排水を可能にしてなることを特徴とする上記（１）〜（３）のいずれかに記載の建造物の構造。
【０００５】
【発明の実施の形態】
本発明の構造とその作用機能を図面で説明する。
【０００６】
本発明の基本構造は、貯水した中空パネルを屋根、壁を覆うように配設して、つまり図１に示すように水の断熱層で屋根、壁を覆う構造である。
夏季、パネルの水は３０〜５０℃に暖められ、そのままあるいは適宜追い炊きして、あるいは水を加えて適温に調節して風呂やシャワーの温水として利用できる。パネルは水道水と連結されており、排水された量は順次水道水が補給され、常にパネルの中には水が貯水されるようになっている。夏季、室内温度が上昇するときは、暖められた水は排水して適宜冷たい水を補充してパネル温度を定温に保持して室内温度を適温に保持できる。
冬季は太陽熱を吸収して温められたパネルの水が、外壁を保温するために室内の熱の逸散が防止でき、極めて暖房効果が優れている。
【０００７】
パネルは図２に示す様な構造で、凹面加工された２枚の板を向かい合わせに突き合せて端面を接合した構造である。一枚の板を凹面加工しただけでは、水を入れると加工面が変形して形状を保つことは出来ない。そこで本発明では、図３に示すように、加工面に複数のリブを入れて変形を阻止する。つまり凹面成形した面に一体的に凹溝を成形してリブを形成して、このリブで変形を阻止する。
【０００８】
本発明パネルは、プラスチック、金属の板を真空成形、射出成形、プレス加工して凹面加工し、２枚の板の端面をつき合わせて接合して得られる。端面の接合には接着剤や、溶接を使用する。
【０００９】
パネルを平板状に連結するためには、図２に示すように、パネル側面に穴とダボをもつ板状の突起を一体的に取付け、この穴に隣のパネルのダボを差し込み、またこのダボを隣のパネルの突起の穴に差し込み、このようにして前後左右のパネルを平板上に連結するようにしても良い。
【００１０】
またパネルは、たとえば図４に示すような方法で外壁あるいは屋根に取付けても良い。
【００１１】
図４で、パネルの平板面は建物の外壁と接着剤で接着し、リブの部分を釘で直接外壁に固定しても良い。また釘の代わりにネジを螺入して固定しても良い。あるいは一旦パネル取付用の骨格に釘、ネジで固定し、この骨格を壁、屋根に機械的に固定するようにしても良い。パネルはリブ底面を釘、ネジで固定するとパネル全体を外壁や屋根に簡便確実に固定できる。
【００１２】
本願発明のパネルはそれ自体で屋根、壁を形成して、簡易組立ハウスとしても利用できる。
【００１３】
図５〜８は本発明パネルの別の実施例の構造を説明したものである。
本パネルも２枚のプラスチックの板に真空成形等で凹形状に加工して突き合わせて接着して中空にしたものである。平板面はたわみが起こりやすいのでリブ加工を行う。
【００１４】
本例では細長リブの他、オワン状のリブも形成する。リブは平板に底のあるクボミを造ることが必須条件で、これにより曲げに対する剛性が高くなり天井や外壁のタワミが防止できる。
【００１５】
リブの突合せ面には、ボルト穴を設ける。
図９に示した穴あき鋼帯で組立ハウスの骨格（柱と梁）を形成し、梁と柱にパネルをボルトで固定する際、ボルトをパネルの中から差し込む必要があるので、パネルには手を差込める作業孔を明けておく。
作業穴はパネル取付け後、機密性の蓋をして水が漏れるのを防ぐ。
【００１６】
図１０はパネルで屋根、壁を形成した海辺のシャワー室、休憩所等に利用できる簡易ハウスの斜視図である。
パネルに貯水された水は太陽熱で温水まで温められる。シャワー水はこの温水が使用されることとなる。温水は特に天井部分が最も温度が高いので、天井部のパネルにシャワー口を取付けて天井部の温水から優先して使用される。
【００１７】
隣合うパネルは中に貯めた水が隣同士で自由に行き来できるように連通し、側壁部分のパネルの下端は外部の水道と連結されておりパネル全体に常に水道の水圧が負荷されている。したがって天井部の水が消費されても、加温された側壁の水が順送りで天井部に押し上げられ、側壁には新しい水が補給されることとなる。
【００１８】
【発明の効果】
以上詳記した様に、本発明は構造が簡単で夏涼しく、冬暖かい省エネ性に優れた特徴があり、温水はシャワーや風呂にも利用でき、海水浴場のシャワー室、休憩所等、広汎な用途が期待できるものである。
【図面の簡単な説明】
【図１】図１は、本発明の建造物の構造を示す説明図である。
【図２】図２は、中空パネルの構造の説明図である。
【図３】図３は、中空パネルを矢印の方向から見たときの構造、つまり断面構造の説明図である。
【図４】図４は、壁に中空パネルを取付ける方法の説明図である。
【図５】図５は、別のパネルの構造の説明図である。
【図６】図６は、図５の裏面の構造の説明図である。
【図７】図７は、別のパネルの構造の説明図である。
【図８】図８は、図７の裏面の構造の説明図である。
【図９】図９は、図１０の組立ハウスに柱と梁に使用する鋼帯の構造の説明図である。
【図１０】図１０は、組立ハウスの斜視図である。
【図１】
2004076392.tif 000003
【図２】
2004076392.tif 000004
【図３】
2004076392.tif 000005
【図４】
2004076392.tif 000006
【図５】
2004076392.tif 000007
【図６】
2004076392.tif 000008
【図７】
2004076392.tif 000009
【図８】
2004076392.tif 000010
【図９】
2004076392.tif 000011
【図１０】
2004076392.tif 000012